(57)【要約】【課題】簡単な構成で、テンプルの開閉が円滑で、かつソフトで良好なフイット感が得られる眼鏡の蝶番を提供する。【解決手段】眼鏡が使用者に装着されたとき、テンプル３には、智１の外蝶番体２の山部１０にテンプル３の内蝶番体４の突起部８が当接した位置から、さらに外側に回動して外側に広がろうとする力が作用する。この際、弾性板５の係止部１３がテンプル３の内蝶番体４のピン体９による押圧を受ける。一方、弾性板５の平坦端部１４が外蝶番体２の山部１０にて係止しているため、弾性板５は外側に膨らむように変形する。この変形によりテンプル３は、内側への適当な圧力を維持しながら、外側へ回転することができる。【選択図】図６
2010286804.tif 000002
【特許請求の範囲】
【請求項１】
外蝶番体と内蝶番体とからなり、外蝶番体と内蝶番体とを回転軸にて回動可能に連結して、智とテンプルを相対的に回動可能に支持する眼鏡の蝶番であって、
前記外蝶番体と前記内蝶番体との一方に、周側に突出する突起部と、周方向に対して直交する方向に突出する突出部とを形成し、他方に前記突起部を係止する山部を形成し、
前記外蝶番体と前記内蝶番体の内部に、一端部が前記回転軸に保持され、かつ他端部が前記山部の一側に弾接する渦巻き状の弾性板を配し、
前記突出部を、前記弾性板の前記他端部と前記山部とが弾接する方向に前記弾性板に付勢力を与えるように、前記弾性板の前記一端部から円周部に延出する係止部に係止させたことを特徴とする眼鏡の蝶番。
【請求項２】
前記弾性板が、平面視ほぼ「の」字状の平板であることを特徴とする請求項１記載の眼鏡の蝶番。
【発明の詳細な説明】
【技術分野】
【０００１】  本発明は、眼鏡の構成部材である智とテンプルとを回動可能に支持する蝶番の構造に関するものである。
【背景技術】
【０００２】  眼鏡は装着者の顔にフイットすることが要求される。このため現状では、テンプルの一部に弾性部材を設けたり、智とテンプルとの連結部分、あるいは智とテンプルとを回動可能に支持する蝶番部分などに弾性部材を介在させるなどの様々な工夫をしたりして、フイット感を向上させるようにしている。【０００３】  本件出願人は、特許文献１に記載されているように、外蝶番体と中蝶番体との間に、一部にスリット部が設けられて２つの弾性腕部が形成された平板体を介在させ、前記弾性腕部の一方を前記外蝶番体の一部に係止させ、他方を前記中蝶番体の一部に係止させ、前記テンプルを前記智に対して外側に開くときに、前記スリット部が狭くなりかつ前記各係止部分に弾発力を与えるように構成して、簡素化された構造でありながら、外観上、眼鏡として違和感のある部位がなく、一体感および高級感を打ち出すことができ、智とテンプルとの外側面が通常の同一面をなす状態から、さらに外側に開くことが円滑に行える構成の眼鏡の蝶番を提案した。
【先行技術文献】
【特許文献】
【０００４】
【特許文献１】特許第３００００４４号公報
【発明の概要】
【発明が解決しようとする課題】
【０００５】  しかし、特許文献１に記載の眼鏡の蝶番では、この種の他の構成に比べれば、構造的に簡素化されるものであるが、智に対するテンプルの開閉感や、フイット感において未だ十分満足するものではなかった。【０００６】  そこで本発明は、従来の眼鏡の蝶番の前記課題を解決するため、簡単な構成で、テンプルの開閉が円滑で、かつソフトで良好なフイット感が得られる眼鏡の蝶番を提供することを目的とする。
【課題を解決するための手段】
【０００７】  本発明は、外蝶番体と内蝶番体とからなり、外蝶番体と内蝶番体とを回転軸にて回動可能に連結して、智とテンプルを相対的に回動可能に支持する眼鏡の蝶番であって、前記外蝶番体と前記内蝶番体との一方に、周側に突出する突起部と、周方向に対して直交する方向に突出する突出部とを形成し、他方に前記突起部を係止する山部を形成し、前記外蝶番体と前記内蝶番体の内部に、一端部が前記回転軸に保持され、かつ他端部が前記山部の一側に弾接する渦巻き状の弾性板を配し、前記突出部を、前記弾性板の前記他端部と前記山部とが弾接する方向に前記弾性板に付勢力を与えるように、前記弾性板の前記一端部から円周部に延出する係止部に係止させたことを特徴とする。【０００８】また、本発明は、前記弾性板が、平面視ほぼ「の」字状の平板であることを特徴とする。
【発明の効果】
【０００９】  本発明では、蝶番の内部に渦巻き状の弾性板を配することによって、智に対するテンプルの開閉時に適度な付勢力を与えることができる。弾性板が渦巻き状をなすものであって、常に付勢力の強弱がなく、テンプルが眼鏡装着者の顔に良好にフイットする。しかも、構造的にも従来のものに比して複雑にならない等、眼鏡にとって優れた効果を奏する。
【図面の簡単な説明】
【００１０】
【図１】本発明に係る眼鏡の蝶番の実施形態を示す平面図である。
【図２】本実施形態におけるテンプルの内蝶番部分を示す図であって、（ａ）は側面図、（ｂ）は平面図である。
【図３】本実施形態における智の外蝶番部分を示す図であって、（ａ）は側面図、（ｂ）は平面図である。
【図４】本実施形態における渦巻き状の弾性板を示す図であって、（ａ）は平面図、（ｂ）は側面図である。
【図５】本実施形態において智とテンプルの蝶番を組み立てた状態を示す図であって、（ａ）は側面図、（ｂ）は平面図である。
【図６】本実施形態において蝶番の弾性付勢時の状態を示す図であって、（ａ）は側面図、（ｂ）は平面図である。
【図７】本実施形態における蝶番の要部の動作を説明するための斜視図である。
【図８】本実施形態における蝶番の要部の動作を説明するための斜視図である。
【発明を実施するための形態】
【００１１】  以下に本発明の好適な実施形態を図面にて説明する。
【００１２】  図１は本発明に係る眼鏡の蝶番の実施形態を示す平面図、図２は本実施形態におけるテンプルの内蝶番部分を示す図であって、（ａ）は側面図、（ｂ）は平面図であり、図３は本実施形態における智の外蝶番部分を示す図であって、（ａ）は側面図、（ｂ）は平面図であり、図４は本実施形態における渦巻き状の弾性板を示す図であって、（ａ）は平面図、（ｂ）は側面図である。
【００１３】  図１において、１は外蝶番体２を有する智、３は内蝶番体４を有するテンプル、５は外蝶番体２と内蝶番体４の内部に配された弾性板である。外蝶番体２と内蝶番体４とからなる蝶番６は、弾性板５を介在してネジ部材からなる回転軸７によって智１とテンプル３を回動可能に連結している。
【００１４】  図２において、テンプル３は、端部に平面視環状をなす一対の内蝶番体４を有し、周側に突出する突起部８が形成され、周方向に対して直交する方向に突出する突出部であるピン体９が嵌着される構成になっている。
【００１５】  図３において、智１は、端部に平面視環状をなし、かつ隙間部分Ａに内蝶番体４が挿入される一対の外蝶番体２を有し、外蝶番体２間にテンプル３の突起部８を係止する山部１０が形成されている。
【００１６】  図４において、弾性板５は、渦巻き状をなす平板状のものであって、本例では、平面視「の」字形状をしている。さらに、弾性板５は、一端部が回転軸７部分にて支持される環状部１１と、この環状部１１から円周部１２に延出する係止部１３と、他端部の平坦端部１４とからなっている。当該弾性板５は、テンプル３の内蝶番体４間に嵌挿される。
【００１７】  図５は本実施形態において智とテンプルの蝶番を組み立てた状態を示す図であって、（ａ）は側面図、（ｂ）は平面図であり、図６は本実施形態において蝶番の弾性付勢時の状態を示す図であって、（ａ）は側面図、（ｂ）は平面図である。図７，図８は本実施形態における蝶番の要部の動作を説明するための斜視図である。
【００１８】  蝶番６の外蝶番体２と内蝶番体４とを、弾性板５を介在して回転軸７により連結した状態において、弾性板５の円周部１２が、前記回転軸７の外周部を巻回するように、テンプル３の一対の内蝶番体４間に配される。さらに、弾性板５の平坦端部１４が外蝶番体２の山部１０における一側（図では左側）に接離可能に弾接し、弾性板５の係止部１３の一側（図では左側）がピン体９に弾接している。
【００１９】  ピン体９が弾性板５の係止部１３と弾接することにより、弾性板５の平坦端部１４と外蝶番体２の山部１０とが弾接する方向の付勢力が弾性板５に生じる。また、ピン体９は、弾性板５の環状部１１と円周部１２間に形成される環状空間部Ｂを移動することができるようになっている。
【００２０】  前記のような組立状態において、図５に示すように、テンプル３を、回転軸７を中心として内側に回動（時計回り方向）させる場合には、智１の外蝶番体２の山部１０に対してテンプル３の内蝶番体４の突起部８が離れ、図７に示すように、テンプル３の内蝶番体４のピン体９が弾性板５の環状部１１と円周部１２間に形成される環状空間部Ｂを時計回りに移動する。これにより、テンプル３が内側へ回動する際、例えばテンプル３を折り畳むときに、弾性板５はテンプル３の回動に何等干渉せず、円滑な回動が行われる。
【００２１】  また、例えば装着者の顔にテンプル３が当接して、テンプル３に対して外側の力が作用するとき、すなわち、図６に示すように、智１の外蝶番体２の山部１０にテンプル３の内蝶番体４の突起部８が当接した位置から、さらにテンプル３が外側に回動（反時計回り方向）する際、弾性板５の係止部１３は、テンプル３の内蝶番体４のピン体９によって押圧を受ける。
【００２２】  一方、図８に示すように、弾性板５の平坦端部１４は、外蝶番体２の山部１０にて係止することになるため、弾性板５が外側に膨らむように変形する。これにより、テンプル３は、内側への適当な圧力を維持しながら、外側へ回転することができる。
【００２２】  なお、弾性板５は、渦巻き状をなす平板状であればよく、この具体的な形状，材質などは、蝶番６の形状，大きさ、あるいは装着時のフイット力、あるいは眼鏡の仕様などに応じて適宜決定すればよく、本実施形態の構成に限定されるものではない。
【産業上の利用可能性】
【００２３】  本発明は、眼鏡の智とテンプルとを回動可能に連結するための蝶番などに適用される。
【符号の説明】
【００２４】１  智
２  外蝶番体
３  テンプル
４  内蝶番体
５  弾性板
６  蝶番
７  回転軸
８  突起部
９  ピン体
１０  山部
１１  環状部
１２  円周部
１３  係止部
１４  平坦端部
Ａ  外蝶番体間の隙間部分
Ｂ  環状空間部
【図１】
2010286804.tif 000003
【図２】
2010286804.tif 000004
【図３】
2010286804.tif 000005
【図４】
2010286804.tif 000006
【図５】
2010286804.tif 000007
【図６】
2010286804.tif 000008
【図７】
2010286804.tif 000009
【図８】
2010286804.tif 000010